(57)【要約】  【課題】  最初に緊締部の締め具合を調整しておけば、それ以降の締め具合を簡単な操作によって再現可能で、最初の締め具合の調整も簡単な靴を提供。  【解決手段】  開口した甲前部５の第１趾側と第５趾側との間に緊締バンド８を架け渡して緊締する靴１の第５趾側には留具７を取り付ける。留具７は甲皮２に取り付けられる固定部７１、ヒンジ部７２を介して固定部７１に連なる可動部７３からなる。緊締バンド８の一側は留具７の可動部７３に連結され、他側は第１趾側の甲皮２に取り付けられる。【選択図】  図２
2006122353.tif 000002
【特許請求の範囲】
【請求項１】
足の出し入れ部と連なって開口している甲前部を有する甲皮を、開口した甲前部の第１趾側と第５趾側との間に架け渡した緊締バンドで緊締する靴であって、
甲皮の第５趾側部分に、固定部とヒンジ部を介して固定部に連なる可動部とからなる開閉自在の留具が、甲前部側へヒンジ部を向けて固定部にて取り付けられており、
緊締バンドは、留具の可動部に連結された連結部と、甲皮の第１趾側部分に取り付けられるようにされた係止部とを有し、甲皮の第１趾側部分に緊締バンドの係止部が、両者の位置関係を調整可能な係止手段を用いて取り付けられることを特徴とする履き脱ぎ容易な靴。
【請求項２】
足の出し入れ部と連なって開口している甲前部を有する甲皮を、開口した甲前部の第１趾側と第５趾側との間に架け渡した緊締バンドで緊締する靴であって、
甲皮の第５趾側部分において、固定部とヒンジ部を介して固定部に連なる可動部とからなる開閉自在の留具が、甲前部側へヒンジ部を向けて固定部にて甲皮に取り付けられるようにされており、
緊締バンドは、第５趾側の留具の可動部に連結された連結部と、第１趾側の甲皮に取り付けられた結合部とを有しており、
甲皮の第５趾側部分に留具の固定部が、両者の位置関係を調整可能な係止手段を用いて取り付けられることを特徴とする履き脱ぎ容易な靴。
【請求項３】
前記靴において、開口した甲前部を塞ぐように配された砂除けを緊締バンドと連結したことを特徴とする請求項１または請求項２に記載の履き脱ぎ容易な靴。
【請求項４】
前記靴において、砂除けと緊締バンドとが緊密に連結されることで、留具の可動部が開状態となると砂除けも連動されて持ち上がることを特徴とする請求項３に記載の履き脱ぎ容易な靴。
【発明の詳細な説明】
【技術分野】
【０００１】
この発明は、甲前に緊締部を有する靴に係り、最初に緊締部の締め具合を調整しておけば、それ以降は簡単な操作によってその締め具合を再現する靴に関する。
【背景技術】
【０００２】
一般に靴には甲前部に緊締部が設けられており、靴を履くあるいは脱ぐときに人々は、緊締部を締めたり緩めたりする動作を行っている。小さい子供、高齢者、身障者にとってはこのような動作は難しいため、このような着用者向けに緊締バンドを用いた靴が市場に多く提供されている。
【０００３】
以下に、従来の緊締バンドを用いた靴について説明する。
緊締バンドは、靴の甲前部の緊締開閉部に第１趾側から第５趾側へ架け渡され、その第１趾側部分が甲皮の第１趾側部分に固定されるとともに、その第５趾側部分が甲皮の第５趾側部分に面ファスナーを用いて着脱自在にされている。そして、靴を足にフィットさせる動作は、緊締バンドの第５趾側部分をやや引っ張りながら甲皮の第５趾側部分に取り付けることで行っている。
しかしながら、上記従来例の場合は、緊締時に緊締バンドを引っ張ってその部分を甲皮の適当な位置に取り付ける必要があるが、特に小さな子供には適当な位置に取り付けるような注意力がないために、足に靴がフィットしないことがある。また、小さな子供には取り付ける力も十分にないことから面ファスナーの係合が外れてしまうというようなことがある。
【０００４】
そこで、これらの問題を解決する方法として、『シューズバックル』（実開平６−３１０５号、以下従来例１という。）が考案されている。
【０００５】
この従来例１は、『靴の上革部に固定されるベースプレートと折り返し自在に接続するフラッププレートは、折り返した状態でフラッププレートの自由端が靴のセンターより外側方向へ移動するように形成され、ベースプレートとフラッププレートには、折り返した状態でその位置が固定可能となる様に、ホックあるいはフックあるいはストッパー等の係合部分が形成され、フラッププレートには、靴紐を通す穴もしくはリングが設けられるか、または鳩目穴を有する鳩目プレートがフラッププレートの更に上面で折り返し自在に接続され、ベースプレートは、靴の上革部に対して固定されていることを特徴とするシューズバックル。』他からなり、図８および図９に表すように、靴ひもを通す紐穴のうち上部に位置される紐穴の代りにシューズバックルを該紐穴位置に固定して設ける。そして、シューズバックルはベースプレート１０１が靴の甲皮である靴の上革部分１０３に固定される。ベースプレート１０１の靴中心側端部からは、フラッププレート１０２が延設される。このように設けるフラッププレート１０２は、ベースプレート１０１の靴中心側端部を基点として回動可能となる。フラッププレート１０２の中間部には、靴紐を通すためのフラッププレートの穴もしくはリング１０３が貫通して設けてあり、靴紐を通す。
【０００６】
更に、シューズバックルには、フラッププレート１０２を回動させてベースプレート１０１に固定するために係止部分を形成してある。係止部分は図９に示す例ではホック１０６或はフック１０７であり、ベースプレート１０１側へ回動させたフラッププレート１０２はホック１０６とフック１０７とによって係止される。
このように構成するシューズバックルでは、靴に足を通して履いた状態でベースプレート１０１およびフラッププレート１０２をホック１０６によって係止させ、靴紐を所望の強さで結ぶ。この状態では、使用者は良好な状態で靴を履いている。
この状態から靴を脱ぐために、一旦フラッププレート１０２のホック１０６を外すと共にフック１０７の係止を解き、フラッププレート１０２を回動させて起立させる。すると、靴紐を通してあるフラッププレートの穴もしくはリング１０３は靴のセンター１１４側へ移動されると共に靴の甲から上方へ移動されるので、靴紐は実質緩められ使用者は靴を容易に脱ぐことができる。
【０００７】
また、該状態から靴を履く場合には、フラッププレート１０２がベースプレート１０１と係止されていない状態、即ち、靴紐が緩められた状態で靴に足を入れて履き、次いでフラッププレート１０２を回動させてベースプレート１０１へホック１０６およびフック１０７を係止させて固定させる。
すると、フラッププレートの穴もしくはリング１０３の位置も移動され、該穴もしくはリング１０３に通した靴紐の位置が、最初に結んだ適宜位置となる。
このように、従来例１では、シューズバックルを開閉することで、靴紐を緩めたり張ったりすることができるので、靴の履き脱ぎが容易となる。
【特許文献１】実開平６−３１０５号公報
【発明の開示】
【発明が解決しようとする課題】
【０００８】
しかしながら、従来例１では、最初に履いたときに、着用者にとって履き心地の良い状態となるように靴紐を結ぶ必要があるが、幼少児や身障者などの場合には一旦靴紐が解けてしまうと着用者自身による対処が難しい。
この発明は、上記問題点に鑑み、最初に緊締部の締め具合を調整しておけば、それ以降の締め具合を簡単な操作によって再現可能で、最初の締め具合の調整も簡単な靴を提供することを課題とする。
【課題を解決するための手段】
【０００９】
そこで本願の第１発明は、足の出し入れ部と連なって開口している甲前部を有する甲皮を、開口した甲前部の第１趾側と第５趾側との間に架け渡した緊締バンドで緊締する靴であって、
甲皮の第５趾側部分に、固定部とヒンジ部を介して固定部に連なる可動部とからなる開閉自在の留具が、甲前部側へヒンジ部を向けて固定部にて取り付けられており、
緊締バンドは、留具の可動部に連結された連結部と、甲皮の第１趾側部分に取り付けられるようにされた係止部とを有し、
甲皮の第１趾側部分に緊締バンドの係止部が、両者の位置関係を調整可能な係止手段を用いて取り付けられることを特徴とする履き脱ぎ容易な靴、を提供する。
【００１０】
また、本願の第２発明は、足の出し入れ部と連なって開口している甲前部を有する甲皮を、開口した甲前部の第１趾側と第５趾側との間に架け渡した緊締バンドで緊締する靴であって、
甲皮の第５趾側部分において、固定部とヒンジ部を介して固定部に連なる可動部とからなる開閉自在の留具が、甲前部側へヒンジ部を向けて固定部にて甲皮に取り付けられるようにされており、
緊締バンドは、第５趾側の留具の可動部に連結された連結部と、第１趾側の甲皮に取り付けられた結合部とを有しており、
甲皮の第５趾側部分に留具の固定部が、両者の位置関係を調整可能な係止手段を用いて取り付けられることを特徴とする履き脱ぎ容易な靴、を提供する。
【００１１】
また第１発明あるいは第２発明の靴において、靴を履く際に砂除けを靴の中に巻き込んでしまうことを防止するために、開口した甲前部を塞ぐように配された砂除けを緊締バンドと連結することを特徴とする。
【００１２】
さらにこの発明の靴において、砂除けと緊締バンドとの連結を緊密にし、留具の可動部が開状態となると砂除けも連動されて持ち上がるようにしたことを特徴とする。
【発明の効果】
【００１３】
第１発明あるいは第２発明によれば、緊締バンドで緊締部の締め具合をあらかじめ調整した靴としておくことで、留具を開状態とすることで締め具合が緩められて着用者が履き脱ぎする状態となり、留具を閉状態とすることで着用者が歩行可能な状態となる。そして、留具の開閉は、小さな子供や手指の不自由なお年寄り等でも容易に行える操作であり、誰にでも靴の履き脱ぎが容易となる。そして、第１発明の靴では、甲皮の第１趾側部分に緊締バンドの係止部を、両者の位置関係の調整可能な係止手段を用いて取り付けているので、緊締部の締め具合を適度に調整することができる。
【００１４】
また、第２発明の靴では、甲皮の第５趾側部分に留具の固定部を、両者の位置関係の調整可能な係止手段を用いて取り付けているので、緊締部の締め具合を適度に調整することができる。また第２発明の靴では、右と左の靴が歩行中にぶつかり合っても、靴の第１趾側は前記係止手段がないので、その拍子に緊締バンドが外れるというようなこともない。
【００１５】
また、第１発明あるいは第２発明の靴において、緊締バンドと砂除けとを連結している靴では、靴内に足を挿入するときに砂除けが靴内に巻き込まれないようにすることが可能である。特にこの構成を用いた第１発明の靴では、緊締バンドの係止部が、歩行中に右と左の靴が歩行中にぶつかり合った拍子に甲皮から外れることがあっても、緊締バンドは砂除けに連結しているので極端に緊締部が緩むことはない。
さらに、例えば砂除けに設けたスリットに緊締バンドを通すようにして緊締バンドと砂除けとを緊密に連結させることで、可動部を開状態へ持ち上げると、可動部に連動して緊締バンドや砂除けが持ち上がるので、足の出し入れ部が自動的に広がることになり、足の挿入を容易にするという効果を有する。
【発明を実施するための最良の形態】
【００１６】
本願の第１発明あるいは第２発明は、開口した甲前部すなわち甲皮の不存在の甲前部に帯状の緊締バンドを架け渡した靴において、甲前部からみたときに甲皮の第５趾側となる部分に留具を取り付け、緊締バンドの第５趾側部分（連結部）を留具に連結し、第１趾側部分（第１発明においては緊締バンドの係止部、第２発明においては緊締バンドの結合部）を甲皮に取り付けてなる靴に関する発明である。さらに詳しく説明すれば、留具は開閉自在の構造を有するもので、固定部とヒンジ部を介して固定部に連なる可動部とからなる。留具は、板状体であることが好ましく、甲前部側へヒンジ部を向けて縫着や接着等で甲皮に取り付けられる。なお、第１発明においては固定部は甲皮と一体に成形されるようなものであっても良い。このようにして甲皮に取り付けられる留具は、可動部がヒンジ部を回動中心として回動する。また留具は、可動部が回動して固定部と対向したときに、すなわち閉の状態となったときに固定部に可動部を掛止する係止手段を有している。緊締バンドの第５趾側部分（連結部）はこの可動部に連結している。この連結は、接合等で完全に固定した状態でも良いが、例えば、可動部に竿状の連結受部を形成しておき、これに緊締バンドを引っ掛けるようにして結びつけた状態が好ましい。可動部に形成する連結受部の位置は、可動部全体からみて略中央部分とすれば、留具の開閉操作がテコの作用で行いやすくなる。
【００１７】
本発明の第１発明の靴では、緊締バンドの係止部および甲皮の第１趾側部分に、両者の位置関係を微調整可能でかつ両者を互いに係止する係止手段を設けている。このような係止手段としては面ファスナーが挙げられる。例えば、緊締バンドの係止部および甲皮の第１趾側部分に、互いに対向するそれぞれの面に面ファスナーの雄か雌のいずれかを対となるように設けることにより、緊締バンドの係止部が甲皮に着脱自在でかつ位置調整可能となる。なお、面ファスナーとして雄雌両用タイプを用いても良い。
【００１８】
また、本願の第２発明の靴では、留具の固定部および甲皮の第５趾側部分に、両者の位置関係を微調整可能でかつ両者を互いに係止する係止手段を設けている。このような係止手段としては面ファスナーが挙げられる。すなわち、留具の固定部および甲皮の第５趾側部分に、互いに対向するそれぞれの面に面ファスナーの雄か雌のいずれかを対となるように設けることにより、留具の固定部が甲皮に着脱自在でかつ位置調整可能となる。なお、この場合も面ファスナーとして雄雌両用タイプを用いても良い。
【００１９】
本発明の靴では、開口した甲前部には、ここを靴の内側から塞ぐように砂除けが設けられている。砂除けの幅方向中央には、足の出し入れ部（履き口）から爪先側へかけて帯状のベルトが縫合されており、縫合の無い部分でバンド挿通部を形成している。このバンド挿通部に緊締バンドを通すことで緊締バンドと砂除けとを連結するようにしている。
【実施例１】
【００２０】
以下、この発明の実施例を図面に基づき説明する。
図１はこの発明の靴を表す側面視説明図であり、図２はこの発明の靴を表す正面視説明図であり、図３は開状態の留具を表し（ａ）は斜視説明図であり（ｂ）は側面説明図であり、図４は閉状態の留具を表し（ａ）は斜視説明図であり（ｂ）は側面説明図であり、図５は緊締状態を説明する拡大説明図である。
【００２１】
１は靴である。靴１はこの実施例では幼少児用のスニーカーであるが、甲皮の第１趾側部分から第５趾側部分にかけて緊締バンドを架け渡し、このバンドで緊締するタイプの靴１であれば特に幼少児用のスニーカーに限定されない。
【００２２】
本発明の靴１の甲皮２は、図１および図２に表すように、足の出し入れ部（履き口）３から爪先部４の手前にかけて上側が開口し、第１趾側と第５趾側とに甲皮２を分割したような開口した甲前部５を形成している。
そして靴１は、甲皮２に取り付けられた緊締バンド８によって開口した甲前部５の巾を狭めることで足に適度にフィットさせることができる。
６は砂除けである。砂除け６は、爪先側において靴１に縫合することで甲皮２に取り付けられ、履き口側において履き口３を臨むように設けられている。なお、砂除けは、第１趾側あるいは第５趾側のいずれか一方を甲皮と縫合してもよい。砂除け６には、緊締バンド８と砂除け６とを連結するためにバンド挿通部６１が設けられている。この実施例では、バンド挿通部６１は、砂除け６の幅方向中央の履き口３から甲前部４にかけて帯状のベルト６２を設けて形成している。すなわち、帯状のベルト６２は、履き口３側と爪先部４側の位置で砂除け６と縫合されて、砂除け６とベルト６２との間に緊締バンド８を挿通するようにしている。
【００２３】
バンド挿通部６１を形成するベルト６２の縫合は、緊締バンド８がちょうど挿通するように緊締バンドの幅に合わせた縫合であることが好ましい。緊締バンド８と砂除け６とを緊密に連結した上で緊締バンドをやや硬めに形成すれば、留具の開閉操作に連動して砂除けが持ち上がるようになる。この実施例では合成樹脂で表面を形成した緊締バンド８を用いている。砂除け６は、緊締バンド８との連動によって型くずれし易いが、クッション材を布材に挿入することでその形状回復性によって型くずれを有効に防止できる。この時用いるクッション材は、好ましくは厚さ２ｍｍ乃至５ｍｍ、硬度５０Ｎ乃至２００Ｎ（ＪＩＳ  Ｋ６４００Ｄ法による）程度の軟質ポリウレタンフォームがよい。
【００２４】
留具７は、固定部７１とヒンジ部７２を介して固定部に連なる可動部７３からなるもので、図１乃至図４に表すように、甲前部５から見たときに甲皮２の第５趾側となる部分に取り付けられている。留具７の向きはヒンジ部側を甲前部へ向けている。なお、図１は留具７の開状態を表し、図２は留具７の閉状態を表している。
固定部７１は板状体であり、その中央あたりに係止受部７４が設けられており、係止受け部７４がヒンジ部７２を回動中心（回動軸）として回動する可動部７３の係止片７７に掛止することで、留具を閉じの状態に保持するようになっている。
【００２５】
可動部７３は板状体であり、一端がヒンジ部７２に連なって回動自在に取り付けられ、他端が回動端７５を形成している。さらに可動部７３には、その中央あたりにヒンジ部２に平行な貫通した孔が２本形成されており、２本の孔の間が竿状の連結受部７６となっている。また、可動部７３には、固定部７１の係止受部７４に掛止するための係止片７７が設けられている。そして、係止片７７には、固定部の係止受け部７４に引っ掛かるように突起７７が設けられている。このようにして構成した留具７は、回動端７５を指で操作して可動部７３を回動させることで開閉する。
【００２６】
緊締バンド８には、第５趾側部分において連結部８１が形成され、第１趾側において係止部８２が形成されている。連結部８１は、バンドを留具７の可動部７３に設けた連結受部７６に引っ掛けて折り返し、折り返した直後に縫合箇所８４で緊締バンド自体に縫合することで形成している。したがって、連結部８１は可動部７３に遊嵌状態で連結している。係止部８２は、甲皮２に対向する面に雌型面ファスナーを貼着することで形成している。こうして構成された緊締バンド８の係止部８２に対向する面の甲皮２には雄型面ファスナーが貼着されている。
このように作製された靴１は、一対の面ファスナー８３によって緊締バンドの係止部８２を甲皮２の第１趾側部分に取り付けられるようにされて両者の位置関係を調整できるようになっている。
【００２７】
上記のように作製された靴１は、例えば着用者が靴購入後に、最初に履くときに緊締バンド８の貼着した面ファスナー８３による取り付けを外した状態で足を挿入し、次ぎに留具７を閉状態にする。そして緊締バンド８の係止部８２を第１趾側へ引っ張って適度な締め付け状態で面ファスナー８３を介して緊締バンドの係止部８２を第１趾側の甲皮２へ取り付けることで、足に適度にフィットするようになる。
【００２８】
その後、靴１を履くあるいは脱ぐときには、留具７の可動部７３の回動端７５を指で持ち上げる。すると、係止受け部７４と係止片７７との掛止が解除されてヒンジ部７２を中心に可動部７３が回動し、留具７は開状態となる。
留具７が開状態となると、留具７の連結受部７６が上方へ移動することになり、これにともない緊締バンド８の連結部８１が移動するので、緊締バンド８は緩んだ状態となる。
さらに、この緊締バンド８が緩んだ状態としたとき、緊締バンド８に連結した砂除け６が上方に持ち上がるので靴１の履き脱ぎが行いやすい状態となる。
【実施例２】
【００２９】
次いで、この発明の実施例２を図面に基づき説明する。図６は実施例２である靴の断面説明図である。
実施例２は、緊締バンド８の第５趾側部分（連結部８１）を留具７の可動部７３に連結させるとともに、第１趾側部分（結合部８５）を甲皮２の第１趾側部分に縫合などで取り付け、留具７と甲皮２とを面ファスナー９によって着脱自在にして両者の相互の位置関係を調整できるようにした靴である。
したがって、実施例２における留具７自体の構成は実施例１と同様であるので、実施例１と異なる部分についてのみ説明する。
図６に表すように、留具７は実施例１同様の構成であるが、留具の固定部７１は第５趾側の甲皮２に完全に固定されていない。すなわち一対の面ファスナー９によって留具７は甲皮２に着脱自在にされている。
【００３０】
また、緊締バンド８は、図６（ａ）に表すように、連結部８１を実施例１同様に留具７の折り返し係止部７６に引っ掛けて折り返し、縫合部８４で縫合して可動部７３に連結している。緊締バンド８の第１趾側部分は、甲皮２と縫合されるなどで結合部８５が形成されている。
【００３１】
尚、緊締バンド８は、実施例２では基端部８１側を連結受部７６に引っ掛けて折り返し縫合部８４において縫合して形成したが、図６（ｂ）に表すように、連結受部７６に引っ掛けて折り返し、端部を第１趾側の甲皮２位置まで延ばして、結合部８５と同じ位置で第１趾側の甲皮２と縫合してもよい。なお、実施例２における一対の面ファスナー９は、留具７の開操作の際に係合が外れないようにその大きさを十分検討する必要がある。
【実施例３】
【００３２】
次いで、この発明の実施例３を図面に基づき説明する。図７は実施例３である靴の説明図である。
実施例３における靴１は、留具７以外の構成は、実施例１あるいは実施例２と同様である。したがって実施例３に表す留具７は実施例１および実施例２のいずれへも実施可能である。よってここでは、実施例３の説明として留具７のみ説明する。
留具７は樹脂素材からなる可撓性を有する板状体、例えば塩ビレザーを用いて作製することができる。図７（ａ）に表すように留具７はヒンジ部７２で折曲させて固定部７１および可動部７３を形成して作製することができる。ヒンジ部７２は、断面Ｖ字型の押し型などで筋を設けることで形成することができる。そして、留具の固定部７１は実施例１に実施する場合には甲皮２に縫合あるいは接着などされて取り付けられ、実施例２に実施する場合には一対の面ファスナー９を介して甲皮２に着脱自在に取り付けられる。可動部７３は、実施例１あるいは実施例２同様に、固定部７１に対してヒンジ部７２を回動中心として回動自在であり、他端が回動端７５を形成している。さらに可動部７３は、その中央あたりにヒンジ部７２に平行な貫通した孔が２本形成されており、２本の孔の間が竿状の連結受部７６となっている。固定部７１および可動部７３のそれぞれ対向する面には係止手段７９が設けられている。係止手段７９は一対の面ファスナーであってよく、固定部７１あるいは可動部７３のいずれかの一方には雄型を、他方には雌型を設け、面ファスナーの雄と雌とが相互に係合することで留具７が閉状態となるようにしている。
【００３３】
このように実施例３における留具の係止手段７９を一対の面ファスナーによって形成することで、実施例１に表した留具７における係止受部７４および係止片７７と同様の作用および効果を有することができる。
尚、係止手段７９は面ファスナーによって形成したが、例えばボタンでもよく特に限定されない。
また、留具７における連結受部７６は、図７（ｂ）に表すように、別体として作製したものを可動部７３に一体化させてもよい。
【産業上の利用可能性】
【００３４】
この発明による靴は、幼少児用の運動靴や身障者或はお年寄り用の運動靴に利用可能であり、これらに利用することで本願発明の効果を発揮できるが、運動靴以外の通常の靴や踵部を有するサンダル等にも利用可能である。
また、特に幼少児、お年寄り、或は、身障者用でなくとも、一般の運動靴或は通常の靴  踵部を有するサンダル等にも利用可能である。
【図面の簡単な説明】
【００３５】
【図１】この発明の靴を表す側面視説明図
【図２】この発明の靴を表す正面視説明図
【図３】開状態の留具を表し（ａ）は斜視説明図、（ｂ）は側面説明図
【図４】閉状態の留具を表し（ａ）は斜視説明図、（ｂ）は側面説明図
【図５】緊締状態を説明する拡大説明図
【図６】実施例２である靴の断面説明図
【図７】実施例３である靴の説明図
【図８】従来例１を表す斜視説明図
【図９】従来例１を表す側面説明図
【符号の説明】
【００３６】
１    靴
２    甲皮
３    足の出し入れ部（履き口）
４    爪先部
５    開口した甲前部
６    砂除け
６１    バンド挿通部
６２    ベルト
７    留具
７１    固定部
７２    ヒンジ部
７３    可動部
７４    係止受部
７５    回動端
７６    連結受部
７７    係止片
７８    突起
７９    係止手段
８    緊締バンド
８１    連結部
８２    係止部
８３    一対の面ファスナー
８４    縫合部
８５    結合部
９    一対の面ファスナー
【図１】
2006122353.tif 000003
【図２】
2006122353.tif 000004
【図３】
2006122353.tif 000005
【図４】
2006122353.tif 000006
【図５】
2006122353.tif 000007
【図６】
2006122353.tif 000008
【図７】
2006122353.tif 000009
【図８】
2006122353.tif 000010
【図９】
2006122353.tif 000011